(57)【特許請求の範囲】
【請求項１】
ゴムパッドを設けたシュー部材が接地部に装着された各履板のリンクを連結ピンによって無端状に連結して構成した履帯シューにおいて、前記シュー部材の一端部に履板の側端縁に係合するフック部を形成するとともに、前記シュー部材の他端部に履板の他側端縁に係止する側板を植設し、該側板に取り付けられる係止部材により履板の他側端縁を挟持固定するように構成するとともに、前記係止部材が、履板の上面に取り付けられ軸方向にスリットを有する弾性材から構成されて側板の係止孔に挿入する際に径方向に縮小してその復元力にて係止孔に固定されるスプリングピンであり、前記側板に設けられた係止孔に該スプリングピンを挿入係止させることにより、履板の他側端縁を挟持固定するように構成し、前記スプリングピンを、挿入していくに従い、履板の上面を押し付けるようにテーパ形状に構成したことを特徴とする履帯シュー。
【請求項２】
ゴムパッドを設けたシュー部材が接地部に装着された各履板のリンクを連結ピンによって無端状に連結して構成した履帯シューにおいて、前記シュー部材の一端部に履板の側端縁に係合するフック部を形成するとともに、前記シュー部材の他端部に履板の他側端縁に係止する側板を植設し、該側板に取り付けられる係止部材により履板の他側端縁を挟持固定するように構成するとともに、前記係止部材が、履板の上面に取り付けられ軸方向にスリットを有する弾性材から構成されて側板の係止孔に挿入する際に径方向に縮小してその復元力にて係止孔に固定されるスプリングピンであり、前記側板に設けられた係止孔に該スプリングピンを挿入係止させることにより、履板の他側端縁を挟持固定するように構成し、前記スプリングピンを、履板に向かって近づく方向に斜めに挿入係止したことを特徴とする履帯シュー。
【請求項３】
前記フック部を被覆してゴム部分を介在させたことを特徴とする請求項１または２に記載の履帯シュー。
【発明の詳細な説明】
【０００１】
【発明の属する技術分野】
本発明は、雪上車や建設車両あるいは農作業車等の無限軌道車両に装着されて使用され、ゴムパッドを設けたシュー部材が接地部に装着された各履板のリンクを連結ピンによって無端状に連結して構成した履帯におけるシューに関する。
【０００２】
【従来の技術】
従来から、泥濘地等にての使用が多い建設車両や農作業車あるいは滑り易い傾斜雪上での走行が多い雪上車等では、接地圧が低く走行が容易な履帯すなわち無限軌道帯（クローラ）を装着した無限軌道車両が多用されているが、騒音や道路保護対策上から履板の接地部は金属に代わってゴムパッドが装着された履帯が多用されるようになってきている。
そして、履板に対するゴムパッド等のシュー部材の取付構造として種々のものが採用されている。
図６は、そのような取付構造の１つの例を示し、特開平８−５８６４７号公報に開示されたものである。これは、トラックリンク１０１によって無端状に連結される各シュープレート（履板）１０２に対して、両端部にフック１０５、１０６を形成し下部にゴム部材１０４を接着した芯金１０３を装着するものであるが、両端部にフック１０５、１０６が予め形成されているために、シュープレート１０２の右端に芯金１０３の右端のやや長いフック１０６を係止した上で芯金１０３を左へ移動し、芯金１０３の左端のフック１０５をシュープレート１０２の左端に係止して芯金１０３を右方向へスライドさせ、フック１０６とシュープレート１０２の右端との間に形成された空隙１０７にロックピン１０８を駆動方向（紙面に直交する方向）から打ち込んで取り付けるようにしたものである。
【０００３】
しかしながら、このような形式のものでは、シュープレート１０２への装着用の一対のフック１０５、１０６が、予め芯金１０３の両端部に形成されているため、芯金１０３をシュープレート１０２に対して左右に移動させる必要がある上に、空隙１０７にロックピン１０８を打ち込むために、走行中のガタ等の発生防止のために空隙１０７とロックピン１０８との間の精度が要求される他、長期間使用後にはゴム部材１０４がへたり、ロックピンが離脱する虞れがあった。
そこで、本件出願人は図７に示した特開平９−９５２６７号公報に開示された履帯シューを提案した。これは、ゴムパッド３０を接着した帯板２９の履板２２への装着をより簡便化するために、帯板２９の一端部にフック金具３１を備えるとともに、帯板２９の他端部近傍にナット３２を埋め込んだもので、帯板２９の一端部のフック金具３１を履板２２の一端部に係止した上で、該係止部を支点として単に帯板２９を揺動して履板２２に添設するだけで、履板２２の上面から挿入されたボルトを前記ナット３２に螺合すればよく、装着が単純化されて取り外し分解も容易となる上、ボルトのナット３２への螺合によって確実に帯板２９が履板２２に装着されるので、格別な精度を必要としない。
【０００４】
【発明が解決しようとする課題】
前記本件出願人による履帯シューの登場によって、さほどの精度を必要とせずにシュー部材の履板への装着が簡便化されて作業効率が向上することとなったものの、他端部側において、帯板２９におけるナット３２への履板２２の上面側からのボルトの螺合の際には、僅かとは言え、螺合のための履板２２を介した整合作業を伴うことは避けられず、また、ナット３２を埋設するために帯板２９における本体部の構造変更も余儀なくされた。さらに、鉄履帯にはボルト螺合用の孔が２つ必要であり、孔が開いていない場合は穿孔作業が必要であった。
【０００５】
そこで本発明では、前記従来の履帯シューの課題を解決するとともに、本件出願人による前記提案のものをさらに改良して、帯板の本体部に基本的な構造改変を加えずとも、格別の精度を要せずして簡便な装着とガタ防止を可能にした履帯シューを提供することを目的とする。
【０００６】
【課題を解決するための手段】
このため本発明では、ゴムパッドを設けたシュー部材が接地部に装着された各履板のリンクを連結ピンによって無端状に連結して構成した履帯シューにおいて、前記シュー部材の一端部に履板の側端縁に係合するフック部を形成するとともに、前記シュー部材の他端部に履板の他側端縁に係止する側板を植設し、該側板に取り付けられる係止部材により履板の他側端縁を挟持固定するように構成するとともに、前記係止部材が、履板の上面に取り付けられ軸方向にスリットを有する弾性材から構成されて側板の係止孔に挿入する際に径方向に縮小してその復元力にて係止孔に固定されるスプリングピンであり、前記側板に設けられた係止孔に該スプリングピンを挿入係止させることにより、履板の他側端縁を挟持固定するように構成し、前記スプリングピンを、挿入していくに従い、履板の上面を押し付けるようにテーパ形状に構成したことを特徴とする。また本発明は、ゴムパッドを設けたシュー部材が接地部に装着された各履板のリンクを連結ピンによって無端状に連結して構成した履帯シューにおいて、前記シュー部材の一端部に履板の側端縁に係合するフック部を形成するとともに、前記シュー部材の他端部に履板の他側端縁に係止する側板を植設し、該側板に取り付けられる係止部材により履板の他側端縁を挟持固定するように構成するとともに、前記係止部材が、履板の上面に取り付けられ軸方向にスリットを有する弾性材から構成されて側板の係止孔に挿入する際に径方向に縮小してその復元力にて係止孔に固定されるスプリングピンであり、前記側板に設けられた係止孔に該スプリングピンを挿入係止させることにより、履板の他側端縁を挟持固定するように構成し、前記スプリングピンを、履板に向かって近づく方向に斜めに挿入係止したことを特徴とする。また本発明は、前記フック部を被覆してゴム部分を介在させたことを特徴とするもので、これらを課題解決のための手段とするものである。
【０００７】
【実施の形態】
以下本発明の実施の形態を図面に基づいて説明する。
図１は、本発明の履帯シューの第１参考例を示す図で、図１（Ａ）は履帯および履帯を構成する履板に装着される履帯シューの分解斜視図、図１（Ｂ）は履板への履帯シューの装着途中の正面図、図１（Ｃ）は履板に履帯シューが装着された状態の正面図、図１（Ｄ）は図１（Ｃ）のＡ−Ａ断面図である。
図１（Ａ）に示すように、本参考例は、ゴムパッド１０を設けたシュー部材８が接地部に装着された各履板２のリンク３、４を連結ピン６によって無端状に連結して構成した履帯シューにおいて、前記シュー部材８の一端部に履板２の側端縁に係合するフック部１１を形成するとともに、前記シュー部材８の他端部に履板２の他側端縁に係止する側板１２を植設し、該側板１２に履板２の上面に略平行に取り付けられる係止部材１３により履板２の他側端縁を挟持固定するように構成した。
履帯１は、各履板２の上面に取付ボルト５、５によって取り付けられた左右一対の各連結リンク３、４における前部の内側部３Ａ、４Ａと後部の外側部３Ｂ、４Ｂとを重合し、スプロケット係合用のブッシュ７を外嵌した上で連結ピン６を挿通して多数連結して構成したものである。
【０００８】
本参考例のものでは、前記シュー部材８の一端部にフック部１１を形成するとともに、前記シュー部材８の他端部に係止孔１２Ａを穿設した側板１２を植設（図示のようにフック部１１および側板１２を帯板９に固着等により別部材として装着してもよいし、帯板９と一体に構成してもよい）したもので、これら側板１２における係止孔１２Ａに、変形可能な弾性体等からなる係止部材１３から突設された係止ボルト１３Ａを挿入してナット１４により螺合することで、係止部材１３により履板２の他側端縁をガタ等の発生を伴うことなく挟持固定するように構成したものである。
帯板９の上面には履帯１の幅方向に伸びる２条の突条９Ａ、９Ａが形成され、これらの突条９Ａ、９Ａが、前記履板２の接地面側の３条の接地ラグ２Ａ、２Ａ間の溝部に適合する形状を呈しており、シュー部材８を履板２の接地面にガタなく装着することができる（図１（Ｄ）参照）。
【０００９】
図１（Ｂ）に示すように、帯板９の一端部のフック部１１を履板２の一端部に係止した上で、該係止部を支点として矢印のように単にシュー部材８の帯板９を揺動して履板２に添設した上で、図１（Ｃ）に示すように、さほど精度を必要とせずにやや厚めの寸法に構成された変形可能な弾性体等からなる係止部材１３（係止部材１３の装着完了時に係止部材１３が弾性変形して履板２の上面を押圧する厚みとする）を帯板９の他端部の側板１２に取り付けるだけで、履板２の他側端縁をガタ等の発生を伴うことなく確実に挟持固定することが可能となる。係止部材１３の係止ボルト１３Ａの側板１２における係止孔１２Ａへの挿入してのナット１４への螺合作業は目視にて視認しつつ行えるので、その整合作業に何らの困難を伴うことはない。
【００１０】
図２は、本発明の履帯シューの第１実施の形態を示す要部斜視図である。
本実施の形態では、係止部材は、履板２の上面に対して一対のスプリングピン１５、１５を側板１２の係止孔１２Ａに挿入係止して構成したものである。
スプリングピン１５は図２（Ｂ）に示すように軸方向にスリット１５Ａ（本実施の形態では波スリット）を有する弾性材から構成されており、スプリングピン１５を側板１２の係止孔１２Ａに挿入する際に径方向に縮小し、その復元力にて係止孔１２Ａに係止固定されるものである。
なお、スプリングピン１５は、側板１２の係止孔２Ａに挿入していくに従い、履板２の上面を押し付けるようにテーパ形状に構成されてもよい。
かくして、スプリングピン１５の側板１２への挿入係止という簡素な装着にもかかわらず、シュー部材８をガタなく履板２に装着することができ、しかもその取外し作業もきわめて容易である。
【００１１】
図３は、本発明の履帯シューの第２実施の形態を示す全体および要部の正面図である。
本実施の形態のものは、前記図２の例を基本構造としているが、図３（Ａ）に示すように、前記フック部１１および側板１２を、シュー部材８における帯板９の両側端部に装着して構成したことを特徴とする。
すなわち、前述の実施の形態では、これらフック部１１および側板１２は帯板９と一体に構成されてもよいものであったが、本実施の形態のものでは、帯板９を共通部品として標準化し、シュー部材８が装着されるべき各種サイズの履板２に適応させて、Ｕ字形等のフック部１１およびＬ字形等の側板１２を適宜選定して前記共通部品である帯板９に後づけにて接合ないし固定するものである。
本実施の形態のものは、このように構成された側板１２に対して、スプリングピン１５を挿入するか、図３（Ｂ）に示す変形例のように、スプリングピン１５を斜めに挿入係止してシュー部材８をガタなく履板２に装着したものである。
【００１２】
図４は、本発明の履帯シューの第２参考例を示す正面図である。
本参考例のものは、前記図１の例を基本構造として、前記フック部１１および側板１２を、シュー部材８における帯板９の両側端部に装着するとともに、側板１２に係止部材１３を取り付ける際に、別途用意した係止ボルト１８を斜めに螺合するものである。
かくして、係止部材１３への係止ボルト１８の螺合進行に伴って、係止部材１３が履板２の上面を挟圧することになるので、共通部品化された帯板９を備えたシュー部材８を多種サイズの履板２にガタなく装着することができる。
【００１３】
図５は、本発明の履帯シューの第３実施の形態を示す要部正面図である。
本実施の形態のものは、前記図３の例を基本構造として、前記フック部１１を被覆してゴム部分１７を介在させたものである。
このような構成によって、本実施の形態のものでは、フック部１１の精度をさらにラフにできるとともに、係合装着された履板２の側端縁に対するシュー部材８の帯板９のガタ防止機能や防音機能が発揮される。
【００１４】
以上、本発明の実施の形態について詳述したが、本発明の趣旨の範囲内で、ゴムパッドを含むシュー部材の形状、形式、履板の形状、連結リンクによる連結形態、フック部および側板の形状およびそれらの帯板への装着形態、係止部材の形状、形式およびその側板への取付形態（係止部材としてのスプリングピンの形式等）等については適宜採用できるものである。
【００１５】
【発明の効果】
以上、詳細に述べたように、本発明によれば、ゴムパッドを設けたシュー部材が接地部に装着された各履板のリンクを連結ピンによって無端状に連結して構成した履帯シューにおいて、前記シュー部材の一端部に履板の側端縁に係合するフック部を形成するとともに、前記シュー部材の他端部に履板の他側端縁に係止する側板を植設し、該側板に取り付けられる係止部材により履板の他側端縁を挟持固定するように構成するとともに、前記係止部材が、履板の上面に取り付けられ軸方向にスリットを有する弾性材から構成されて側板の係止孔に挿入する際に径方向に縮小してその復元力にて係止孔に固定されるスプリングピンであり、前記側板に設けられた係止孔に該スプリングピンを挿入係止させることにより、履板の他側端縁を挟持固定するように構成し、前記スプリングピンを、挿入していくに従い、履板の上面を押し付けるようにテーパ形状に構成したことにより、シュー部材の一端部のフック部を履板の一端部に係止した上で、該係止部を支点として単にシュー部材を揺動して履板に添設した上で、その整合作業に何らの困難を伴うことなく、係止部材を側板に取り付けるだけで、履板の他側端縁をガタ等の発生を伴うことなく確実に挟持固定することが可能となる。その際、スプリングピンの側板への挿入係止という簡素な装着にもかかわらず、シュー部材をガタなく履板に装着することができ、しかもその取外し作業もきわめて容易である。しかも、挿入していくに従い、シュー部材をガタなく履板に装着できる。
【００１６】
また、ゴムパッドを設けたシュー部材が接地部に装着された各履板のリンクを連結ピンによって無端状に連結して構成した履帯シューにおいて、前記シュー部材の一端部に履板の側端縁に係合するフック部を形成するとともに、前記シュー部材の他端部に履板の他側端縁に係止する側板を植設し、該側板に取り付けられる係止部材により履板の他側端縁を挟持固定するように構成するとともに、前記係止部材が、履板の上面に取り付けられ軸方向にスリットを有する弾性材から構成されて側板の係止孔に挿入する際に径方向に縮小してその復元力にて係止孔に固定されるスプリングピンであり、前記側板に設けられた係止孔に該スプリングピンを挿入係止させることにより、履板の他側端縁を挟持固定するように構成し、前記スプリングピンを、履板に向かって近づく方向に斜めに挿入係止した場合は、シュー部材の一端部のフック部を履板の一端部に係止した上で、該係止部を支点として単にシュー部材を揺動して履板に添設した上で、その整合作業に何らの困難を伴うことなく、係止部材を側板に取り付けるだけで、履板の他側端縁をガタ等の発生を伴うことなく確実に挟持固定することが可能となる。その際、スプリングピンの側板への挿入係止という簡素な装着にもかかわらず、シュー部材をガタなく履板に装着することができ、しかもその取外し作業もきわめて容易である。その上、挿入していくに従い、シュー部材をガタなく履板に装着できる。
さらに、前記フック部を被覆してゴム部分を介在させた場合は、フック部の精度をさらにラフにできるとともに、係合装着された履板の側端縁に対するシュー部材の帯板のガタ防止機能や防音機能が発揮される。
このように本発明によれば、帯板の本体部に基本的な構造改変を加えずとも、格別の精度を要せずして簡便な装着とガタ防止を可能にした履帯シューが提供される。
【図面の簡単な説明】
【図１】  本発明の履帯シューの第１参考例を示す図で、図１（Ａ）は履帯および履帯を構成する履板に装着される履帯シューの分解斜視図、図１（Ｂ）は履板への履帯シューの装着途中の正面図、図１（Ｃ）は履板に履帯シューが装着された状態の正面図、図１（Ｄ）は図１（Ｃ）のＡ−Ａ断面図である。
【図２】  本発明の履帯シューの第１実施の形態を示す要部斜視図である。
【図３】  本発明の履帯シューの第２実施の形態を示す全体および要部正面図である。
【図４】  本発明の履帯シューの第２参考例を示す要部正面図である。
【図５】  本発明の履帯シューの第３実施の形態を示す要部正面図である。
【図６】  履帯シューの従来例を示す説明図である。
【図７】  本発明の背景となった履帯シューおよび帯板の説明図である。
【図１】
0004680348.tif 000002
【図２】
0004680348.tif 000003
【図３】
0004680348.tif 000004
【図４】
0004680348.tif 000005
【図５】
0004680348.tif 000006
【図６】
0004680348.tif 000007
【図７】
0004680348.tif 000008